(57)【要約】【課題】  平角線の巻乱れがないステータを提供する。【解決手段】  円環状のヨークに円周方向所定間隔毎にティースが設けられ、各ティースに絶縁ボビン２０が装着され、絶縁ボビン２０に平角線５０が巻回されてなるステータにおいて、絶縁ボビン２０は、前記ティースと平角線５０を絶縁するティース絶縁部２１と、ティース絶縁部２１の各端部から前記ヨークの内面と略平行に延出する第１の延出部２２と第２の延出部２３を備え、第１の延出部２２のステータ軸方向における一方には、平角線５０を第１の延出部２２の外方からティース絶縁部２１の周方向に対して斜めに案内するガイド溝２４が設けられ、第１の延出部２２とティース絶縁部２１の連結部分の隅部には平角線５０をティース絶縁部２１の周方向に対して斜めに保持する第１の突出部３１が設けられている。【選択図】    図６
2005057931.tif 000002
【特許請求の範囲】
【請求項１】
円環状のヨークに円周方向所定間隔毎にティースが設けられ、各ティースに絶縁ボビンが装着され、前記絶縁ボビンに平角線が巻回されてなるステータにおいて、
前記絶縁ボビンは、前記ティースと前記平角線を絶縁するティース絶縁部と、該ティース絶縁部の各端部から前記ヨークの内面と略平行に延出する第１の延出部と第２の延出部を備え、
前記第１の延出部のステータ軸方向における一方には、前記平角線を該第１の延出部の外方からティース絶縁部の周方向に対して斜めに案内するガイド溝が設けられ、
前記第１の延出部と前記ティース絶縁部の連結部分の隅部には前記平角線をティース絶縁部の周方向に対して斜めに保持する第１の突出部が設けられていることを特徴とするステータ。
【請求項２】
前記第１の突出部は、平角線の第１層第１周目の最終部分を保持することを特徴とする請求項１に記載のステータ。
【請求項３】
前記第１の突出部は、平角線の第１層第１周目の最終コーナ部を含むその前後を保持することを特徴とする請求項１に記載のステータ。
【請求項４】
前記第２の延出部と前記ティース絶縁部の連結部分の隅部には、前記平角線の第２層第１周目が第１層最終周回の平角線と前記第２の延出部との間の隙間に落ち込むのを阻止する別の突出部が設けられていることを特徴とする請求項１から請求項３のいずれか１項に記載のステータ。
【請求項５】
前記第２の延出部の角部であって前記平角線の第２層第１周目の第１コーナ部に対応する部分には、円弧状に形成された円弧部が設けられていることを特徴とする請求項４に記載のステータ。
【請求項６】
前記円弧部における前記ティース絶縁部側に面取り加工が施されていることを特徴とする請求項５に記載のステータ。
【発明の詳細な説明】
【技術分野】
【０００１】
この発明は、電動機や発電機等の回転電機に用いられるステータに関するものである。
【背景技術】
【０００２】
ステータの巻線には、断面円形のいわゆる丸線からなる巻線と、断面が略長方形のいわゆる平角線からなる巻線がある。
丸線は密接して巻回しても丸線間に隙間が生じるので占積率が低いのに対して、平角線は、隙間なく整列させることで占積率を高めることができ有利である。ここで、占積率とは、スロット断面積に対するコイル線占有面積の比であり、占積率の増大により回転電機の性能向上を図ることができる。
【０００３】
ところで、この平角線を絶縁ボビンに巻回する際に巻乱れが生じると、占積率が低下してしまうので、巻乱れが生じないように巻回する必要がある。
平角線の巻乱れを防止する従来の技術としては、例えば特許文献１などが知られている。特許文献１に開示された技術では、平角線を特殊な成形装置で成形しながら絶縁ボビン等に整列させて巻回することによって、巻乱れが生じないようにしている。
【特許文献１】特開２０００−２４５０９２号公報
【発明の開示】
【発明が解決しようとする課題】
【０００４】
しかしながら、前記従来の技術の場合には、平角線を巻回する前処理として平角線に対して特殊な成形を施さなければならず、これには膨大な工数がかかり、製造コストの上昇を招くという問題がある。
また、平角線に対して特殊な成形を施すための成形装置が必要なため、巻線機の構造が複雑になり、設備費が増大するという問題がある。
そこで、この発明は、絶縁ボビンに簡単な構成を付加するだけで平角線の巻乱れを防止することができるステータを提供するものである。
【課題を解決するための手段】
【０００５】
上記課題を解決するために、請求項１に係る発明は、円環状のヨーク（例えば、後述する実施例におけるヨーク１ａ）に円周方向所定間隔毎にティース（例えば、後述する実施例におけるティース部１２）が設けられ、各ティースに絶縁ボビン（例えば、後述する実施例における絶縁ボビン２０）が装着され、前記絶縁ボビンに平角線（例えば、後述する実施例における平角線５０）が巻回されてなるステータ（例えば、後述する実施例におけるステータ１）において、前記絶縁ボビンは、前記ティースと前記平角線を絶縁するティース絶縁部（例えば、後述する実施例におけるティース絶縁部２１）と、該ティース絶縁部の各端部から前記ヨークの内面と略平行に延出する第１の延出部（例えば、後述する実施例における第１の延出部２２）と第２の延出部（例えば、後述する実施例における第２の延出部２３）を備え、前記第１の延出部のステータ軸方向における一方には、前記平角線を該第１の延出部の外方からティース絶縁部の周方向に対して斜めに案内するガイド溝（例えば、後述する実施例におけるガイド溝２４）が設けられ、前記第１の延出部と前記ティース絶縁部の連結部分の隅部（例えば、後述する実施例における隅部２５）には前記平角線をティース絶縁部の周方向に対して斜めに保持する第１の突出部（例えば、後述する実施例における第１の突出部３１）が設けられていることを特徴とする。
【０００６】
このように構成することにより、平角線を第１の延出部のガイド溝から導入することによって、平角線を絶縁ボビンの第１の延出部の外方から斜めに挿入することができるので、平角線を捻ったり無理に曲げたりすることなくティース絶縁部に導入することができ、また、平角線の第１層第１周目をティース絶縁部にスムーズに巻回することができる。
さらに、平角線の第１層第１周目を第１の突出部に沿って巻回することができるとともに、平角線の第２層の最終周回を第１の突出部の上に載せて巻回することができる。
【０００７】
請求項２に係る発明は、請求項１に記載の発明において、前記第１の突出部は、平角線の第１層第１周目の最終部分を保持することを特徴とする。
このように構成することにより、平角線５０の第１層第１周目の最終部分を第１の突出部に沿って巻回することができる。
【０００８】
請求項３に係る発明は、請求項１に記載の発明において、前記第１の突出部は、平角線の第１層第１周目の最終コーナ部を含むその前後を保持することを特徴とする。
このように構成することにより、平角線５０の第１層第１周目の最終コーナ部を含むその前後を第１の突出部に沿って巻回することができる。
【０００９】
請求項４に係る発明は、請求項１から請求項３のいずれか１項に記載の発明において、前記第２の延出部と前記ティース絶縁部の連結部分の隅部（例えば、後述する実施例における隅部２６）には、前記平角線の第２層第１周目が第１層最終周回の平角線と前記第２の延出部との間の隙間に落ち込むのを阻止する別の突出部（例えば、後述する実施例における第２の突出部３２、第３の突出部３３）が設けられていることを特徴とする。
このように構成することにより、第２層第１周目の平角線を前記別の突出部の上に載せて巻回することができる。
【００１０】
請求項５に係る発明は、請求項４に記載の発明において、前記第２の延出部の角部であって前記平角線の第２層第１周目の第１コーナ部に対応する部分には、円弧状に形成された円弧部（例えば、後述する実施例における円弧部２７）が設けられていることを特徴とする。
このように構成することにより、平角線を第１層最終周回から第２層第１周目に巻回するときに、平角線の延長部分（未巻回部分）と第２の延出部の前記角部ができるだけ干渉しないようにすることができる。
【００１１】
請求項６に係る発明は、請求項５に記載の発明において、前記円弧部における前記ティース絶縁部側に面取り加工が施されていることを特徴とする。
このように構成することにより、平角線の延長部分（未巻回部分）が第２の延出部の前記円弧部と干渉した場合にも、平角線を傷付けなくすることができる。
【発明の効果】
【００１２】
請求項１に係る発明によれば、平角線をガイド溝から導入することにより、平角線を捻ったり無理に曲げたりすることなくティース絶縁部に導入することができ、また、平角線の第１層第１周目の巻き始めをティース絶縁部にスムーズに巻回することができるという優れた効果が奏される。
さらに、平角線の第１層第１周目を第１の突出部に沿って巻回することができるので、平角線５０の第１周目を極めて安定に巻回することができる。また、平角線の第２層の最終周回を第１の突出部の上に載せて巻回することができるので、第２層の最終周回の巻乱れを防止することができる。
また、絶縁ボビンの構造から平角線の巻乱れを防止することができるので、巻線機には特別な細工が不要であり、ごく一般的な巻線機を用いて巻線作業を行うことができる。その結果、設備費の低減、製品（ステータ）のコストダウンを図ることができる。
【００１３】
請求項２に係る発明によれば、請求項１の効果に加えて、平角線の第１層第１周目の最終部分を第１の突出部に沿って巻回することができるので、平角線の第１層第１周目の最終部分を極めて安定に巻回することができるとともに、第１周目から第２周目への切り替えを極めてスムーズに安定して行うことができる。
【００１４】
請求項３に係る発明によれば、請求項１の効果に加えて、平角線の第１層第１周目の最終コーナ部を含むその前後を第１の突出部に沿って巻回することができるので、平角線の第１層第１周目の最終コーナ部を含むその前後を極めて安定に巻回することができるとともに、第１周目から第２周目への切り替えを極めてスムーズに安定して行うことができる。
【００１５】
請求項４に係る発明によれば、第２層第１周目の平角線を第２の突出部の上に載せて巻回することができるので、第２層第１周目に巻乱れが発生するのを防止することができる。
請求項５に係る発明によれば、平角線の延長部分（未巻回部分）と第２の延出部の前記角部ができるだけ干渉しないようにすることができるので、第１層最終周回から第２層第１周目への平角線の巻回をスムーズに行うことができる。
請求項６に係る発明によれば、平角線の延長部分（未巻回部分）が第２の延出部の前記円弧部と干渉した場合にも、平角線を損傷から防止することができる。
【発明を実施するための最良の形態】
【００１６】
以下、この発明に係るステータおよび絶縁ボビンの一実施例を図１から図１２の図面を参照して説明する。
図１に示すように、ステータ１は、複数のステータモジュール２を円環状に連結して構成されており、電動機や発電機等の回転電機に用いられる。
各ステータモジュール２は、ヨーク部１１とティース部（ティース）１２からなるステータコア１０と、ステータコア１０のティース部１２に装着された絶縁ボビン２０と、絶縁ボビン２０に巻回された平角線５０を備えている。
【００１７】
各ステータコア１０のヨーク部１１同士は連結されてステータ１における円環状のヨーク１ａを形成する。このヨーク部１１同士の連結を容易にするために、ヨーク部１１の周方向一端面には係合凸部１１ａが設けられ、他端面には係合凸部１１ａに嵌合する係合凹部１１ｂが設けられている。
ティース部１２は断面略矩形をなし、ヨーク部１１の中央から径方向の中心方向に向かって延出しており、ティース部１２の先端にはヨーク部１１の周方向に延出する延出部１３が設けられている。
【００１８】
図２〜図４および図６に示すように、絶縁ボビン２０は、矩形筒状をなすティース絶縁部２１と、ティース絶縁部２１の軸方向両端部からヨーク部１１の内面に対して略平行に延出する第１の延出部２２および第２の延出部２３を備えている。ティース絶縁部２１はティース部１２の側面を取り囲むように配置され、第１の延出部２２はステータコア１０の延出部１３の内面に沿って配置され、第２の延出部２３はヨーク部１１の内周面に沿って配置される。
【００１９】
図７は、ティース絶縁部２１を第２の延出部２３との連結部分に沿って破断したときのその破断面側から見た断面図であり、ティース絶縁部２１は、４つの側面２１ａ〜２１ｄと４つのコーナ部２１ｅ〜２１ｈを備えている。詳述すると、４つの側面は、ステータ１の軸方向の一方側の側面２１ａおよび他方側の側面２１ｃと、ステータ１の周方向の一方側の側面２１ｂおよび他方側の側面２１ｄからなり、４つのコーナ部は、側面２１ａと側面２１ｂの接続部に形成される第１コーナ部２１ｅと、側面２１ｂと側面２１ｃの接続部に形成される第２コーナ部２１ｆと、側面２１ｃと側面２１ｄの接続部に形成される第３コーナ部２１ｇと、側面２１ｄと側面２１ａの接続部に形成される第４コーナ部２１ｈからなる。
【００２０】
第１の延出部２２においてティース絶縁部２１の側面２１ａに対応する側（すなわち、ステータ１の軸方向の一方側）には、平角線導入用のガイド溝２４が設けられており、平角線５０は延出部２２の外方からガイド溝２４を通ってティース絶縁部２１に導入され、ティース絶縁部２１の側面２１ａ〜２１ｄに巻回されている。なお、平角線５０は、図６に示すように、ガイド溝２４から導入された後、ティース絶縁部２１の側面２１ａから第１層第１周目が巻き始められ、第１コーナ部２１ｅにおいて屈曲されて側面２１ｂへと巻き付けられていく。つまり、平角線５０は第１コーナ部２１ｅにおいて最初に屈曲せしめられる。
【００２１】
図３を参照してガイド溝２４について詳述すると、ガイド溝２４の底面２４ａは、ティース絶縁部２１の側面２１ａと面一に形成されていて、底面２４ａの幅寸法Ａは平角線５０の幅寸法Ｗより若干大きく設定されている（Ａ＞Ｗ）。ガイド溝２４の長手方向は、ティース絶縁部２１の周方向（すなわち、ステータ１の周方向、さらに換言すると、延出部２２の内面２２ａの面方向）に対して斜めに傾斜しており、その傾斜角度は次式で表される角度θ以上で、且つ、３０度以下に設定されている。
θ＝ｔａｎ−１（平角線の幅寸法Ｗ／ティース絶縁部の幅寸法Ｌ１）
【００２２】
前記傾斜角度をこのような範囲に設定した理由は、前記傾斜角度をθよりも小さくすると、ティース絶縁部２１に平角線５０の第１層第２周目を巻回するときに、平角線５０の第１周目の巻き始め前の部分が邪魔になるからであり、前記傾斜角度を３０度よりも大きくすると、第１コーナ部２１ｅにおいて生じる平角線５０の屈曲部の膨らみが大きくなって、平角線５０の第２層目以降の巻回に支障を来すとともに、占積率の低下を招くからである。
【００２３】
図８に示すように、延出部２２の内面２２ａとガイド溝２４における外側の側面２４ｂとの交点Ｐが、ティース絶縁部２１の側面２１ｂよりも平角線５０の厚み寸法Ｄだけ（若しくはそれ以上）外側に位置するように設定されている。このようにすることにより、ティース絶縁部２１に平角線５０の第１層第１周目を巻回する際に、第１コーナ部２１ｅにおいて延出部２２の内面２２ａとの間に隙間をあけずに、内面２２ａに密接して巻回することができ、占積率を高めることができる。
【００２４】
図９は比較例を示す図であり、この図に示すように、延出部２２の内面２２ａとガイド溝２４における外側の側面２４ｂとの交点Ｐ'を、前記交点Ｐよりも中心側に位置させると、平角線５０の第１周目をティース絶縁部２１の側面２１ｂに沿って巻き始めるときに、第１コーナ部２１ｅにおいて平角線５０と延出部２２の内面２２ａとの間に隙間があいてしまい、占積率が低下する。
【００２５】
このようにガイド溝２４を設けたことにより、平角線５０の底面をティース絶縁部２１の側面２１ａと面一にして、平角線５０を絶縁ボビン２０の第１の延出部２２の外方から斜めに挿入することができ、平角線５０をエッジワイズ曲げしないで、平角線５０の第１層第１周目をティース絶縁部２１の側面２１ａ，２１ｂにスムーズに巻回することができる。
【００２６】
また、平角線５０の第１周目をスムーズにティース絶縁部２１の側面２１ａ，２１ｂに巻回することができるので、平角線５０をティース絶縁部２１に導入する部分で平角線５０を捻ったり無理に曲げたりする必要がなく、平角線５０の表面に形成されている絶縁層にダメージを与えることもない。
【００２７】
絶縁ボビン２０のティース絶縁部２１と第１の延出部２２との連結部分の隅部２５であって、第４コーナ部２１ｈを中心として側面２１ｄから側面２１ａの所定領域には、第１の突出部３１が設けられている。
第１の突出部３１は、図５に示すように、断面が略長方形をなし、ティース絶縁部２１に連設する側の側面３１ａの高さ寸法ｈは平角線５０の厚み寸法Ｄ以下（ｈ≦Ｄ）に設定されており、第１の延出部２２に連設する側の側面３１ｂの幅寸法ｓは平角線５０の幅寸法Ｗ以下（ｓ≦Ｗ）に設定されている。
【００２８】
また、絶縁ボビン２０のティース絶縁部２１と第２の延出部２３との連結部分の隅部２６であって、第１コーナ部２１ｅを中心として側面２１ａから側面２１ｂの所定領域には第２の突出部３２が設けられ、第３コーナ部２１ｇを中心として側面２１ｃから側面２１ｄの所定領域には第３の突出部３３が設けられている。
第２、第３の突出部３２，３３は、第１の突出部３１と同様に断面が略長方形をなし、ティース絶縁部２１に連設する側の側面の高さ寸法も第１の突出部３１と同様に平角線５０の厚み寸法Ｄ以下に設定されている。
なお、第１〜第３の突出部３１，３２，３３のティース絶縁部２１に連設する側の側面の高さ寸法ｈは、平角線５０の厚み寸法Ｄとほぼ同じにするのがより好ましい。
【００２９】
また、図４、図６に示すように、第２の延出部２３の角部であってティース絶縁部２１の第１コーナ部２１ｅに対応する部分には、大径な略半円弧状に形成された円弧部２７が設けられており、円弧部２７において第２の延出部２３の内面２３ａ側（すなわちティース絶縁部２１側）は面取り加工が施されてアール面２７ａにされている。
【００３０】
第１、第２、第３の突出部３１，３２，３３を設けた理由を次の通りである。
まず、比較例として、これら突出部３１〜３３が設けられていない絶縁ボビン２０に平角線５０を巻回する場合について、図１０〜図１２の図面を参照して説明する。
図１０に示すように、ガイド溝２４を介してティース絶縁部２１に導入された平角線５０は、第１コーナ部２１ｅにおいて屈曲されて側面２１ａから側面２１ｂに巻回され、その際に平角線５０は第１の延出部２２の内面２２ａに接するように巻回される。そして、この第１層第１周目では、側面２１ｂ，２１ｃにおいても平角線５０は第１の延出部２２の内面２２ａに接するように巻回されるが、側面２１ｄから再び側面２１ａに巻回されるときには、第１層第１周目から第２周目に切り替わる切り替え過程であるので、図１０および図１１に示すように、平角線５０は第１の延出部２２の内面２２ａから徐々に離れていく。このとき、平角線５０の特性として、平角線５０は２つの側面２１ｄ，２１ａの最短距離で切り替わろうとするため、第４コーナ部２１ｈで滑りが発生し、最短距離の位置で滑り終わるため、平角線５０と第１の延出部２２の内面２２ａとの間に隙間４１が生じる。
【００３１】
そして、平角線５０の第１層の第２周目以降においては、第ｎ周目の平角線５０は第（ｎ−１）周目の平角線５０に接するように整列して巻回されていきながら、第２の延出部２３に接近する方向に進んでいき、第２の延出部２３に最接近して第１層の巻き終わりとなり、第１０図に示すように、第４コーナ部２１ｈにおいて第１層の最終周回の平角線５０の側面が第２の延出部２３の内面２３ａにほぼ接する状態になる。そのため、第２の延出部２３側では第４コーナ部２１ｈを除くほぼ全周において、第１層最終周回の平角線５０と第２の延出部２３の内面２３ａとの間に隙間４２が生じる。
【００３２】
この後、平角線５０は第１層最終周回から第２層第１周目へと切り替わり、図１２に示すように、側面２１ａ側において第２の延出部２３の内面２３ａに接するように巻回され、その後、第１層の上に積層されながら順次隣の列へと巻回され、第１の延出部２２に接近する方向に進んでいき、第１の延出部２２に最接近して第２層の巻き終わりとなって、その第２層の最終周回が第１の延出部２２の内面２２ａに沿って巻回される。
【００３３】
ところで、平角線５０には寸法公差があり、上限公差の平角線５０が用いられた場合にも所定の周回数を巻回できるようにティース絶縁部２１の長さ（ステータ１の径方向に沿う長さ）Ｌ２が設定されている。しかしながら、このようにティース絶縁部２１の長さＬ２を設定すると、下限公差の平角線５０が用いられた場合には、第１層最終周回の平角線５０と第２の延出部２３の内面２３ａとの間に生じる隙間４２が、上限公差の平角線５０を用いた場合よりも大きくなり、特に、第１コーナ部２１ｅにおける隙間４２が極めて大きなものとなる。
【００３４】
このように絶縁ボビン２０に平角線５０巻回していくと、第２、第３の突出部３２，３３が設けられていない場合には、第１層最終周回の平角線５０と第２の延出部２３の内面２３ａとの間の隙間４２が、第２の延出部２３側の第４コーナ部２１ｈを除いてほぼ全周に亘って形成されるため、第２層第１周目を第２の延出部２３の内面２３ａに沿って巻回したときに、平角線５０の一部（角部等）が隙間４２に落ち込む等して、巻乱れが生じる場合がある。
【００３５】
また、第１の突出部３１が設けられていない場合には、平角線５０の第１層第１周目から第２周目への切り替わり部分と第１の延出部２２の内面２２ａとの間の隙間４１が、側面２１ｄと側面２１ａのほぼ全長に亘って形成されるため、第２層最終周回を巻回したときに平角線５０の一部（角部等）が隙間４１に落ち込む等して、巻乱れが生じる場合がある。
【００３６】
これに対して、絶縁ボビン２０に第２、第３の突出部３２，３３が設けられていると、第２層第１周目の平角線５０を第２の延出部２３の内面２３ａに沿って巻回する際に、第２層第１周目の平角線５０は、第１コーナ部２１ｅおよびその前後においては第２の突出部３２の上に載って巻回され、第３コーナ部２１ｇおよびその前後においては第３の突出部３３の上に載って巻回されるので、第１層最終周回の平角線５０と第２の延出部２３の内面２３ａとの間の隙間４２に平角線５０が落ち込むのを阻止することができ、その結果、平角線５０の第２層第１周目に巻乱れが発生するのを防止することができる。
しかも、上限公差の平角線５０を用いた場合、および、下限公差の平角線５０を用いた場合のいずれの場合にも、平角線５０の第２層第１周目に巻乱れが発生するのを防止することができる。
【００３７】
また、絶縁ボビン２０に第１の突出部３１が設けられていると、第２層の最終周回の平角線５０は第４コーナ部２１ｈおよびその前後において第１の突出部３１の上に載って巻回されるので、第１層第１周目の平角線５０と第１の延出部２２の内面２２ａとの間の隙間４１に平角線５０が落ち込むのを阻止することができ、その結果、第２層の最終周回の巻乱れを防止することができる。
【００３８】
また、絶縁ボビン２０に第１の突出部３１が設けられていると、第１層第１周目の平角線５０が第４コーナ部２１ｈに巻回される際に、平角線５０の側面が第１の突出部３１に案内されて、第１の突出部３１の側面３１ａに接するように巻回されるので、第１周目の最終部分、および、第１周目から第２周目への切り替え部分を極めスムーズに安定して巻回することができるとともに、第４コーナ部２１ｈにおける平角線５０の滑りを規制することができる。
【００３９】
第１の突出部３１がその機能を十分に発揮するために、第１の突出部３１は、平角線５０の第１層第１周目の最終部分を、ティース絶縁部２１の周方向（すなわち、ステータ１の周方向、さらに換言すると、延出部２２の内面２２ａの面方向）に対して斜めに保持することができるように設けるのが好ましく、さらに、平角線５０の第１層第１周目の最終コーナ部を含む前後を前記傾斜姿勢に保持することができるように設けるのが、より好ましい。この実施例において第１の突出部３１は、これら条件を総て満足するように設けられている。
【００４０】
また、第２の延出部２３に円弧部２７を設けた理由は次の通りである。
前述の如く平角線５０の第１層を巻回するためには、平角線５０の第１層最終周回を巻回するときに、ティース絶縁部２１の第４コーナ部２１ｈを完全に回りきるまで、平角線５０をティース絶縁部２１の周方向に対してに斜めに傾斜した姿勢で巻回する必要があり、そのため、平角線５０の第１層最終周回が第４コーナ部２１ｈを回りきり、第２層第１周目を側面２１ａに巻き始めた時点では、平角線５０の延長部分（これから巻回される平角線５０）は第２の延出部２３よりも外側（ティース絶縁部２１の軸方向外側）に引っ張られている。
【００４１】
そのため、平角線５０の第２層第１周目をティース絶縁部２１の側面２１ａから第１コーナ部２１ｅに巻回するときに、平角線５０の前記延長部分が第２の延出部２３における第１コーナ部２１ｅに対応する角部と干渉することがある。このときに該角部が角張っていると、平角線５０が該角部に引っかかってしまい、平角線５０のスムーズな巻回を妨げたり、平角線５０を損傷させる虞がある。そこで、この実施例のステータ１では、第２の延出部２３における第１コーナ部２１ｅに対応する角部に、大径な略半円弧状の円弧部２７を設けて、平角線５０との干渉を防止して平角線５０が引っかからないようにし、平角線５０のスムーズな巻回を保障している。さらに、円弧部２７において第２の延出部２３の内面２３ａ側にアール面２７ａを設けることにより、円弧部２７に干渉した場合にも平角線５０の損傷を防止することができるようにしている。
【００４２】
なお、図５に示すように、第１の延出部２２における周縁部のティース絶縁部２１側の角部にも面取り４０が施されており、平角線５０をティース絶縁部２１に巻回するときに平角線５０が第１の延出部２２に接触したときに、平角線５０の表面に形成されている絶縁層等が損傷しないようにされている。同様に、図示を省略するが、第２の延出部２３における周縁部のティース絶縁部２１側の角部にも面取りが施されている。
【００４３】
以上説明するように、この実施例における絶縁ボビン２０を備えたステータ１によれば、絶縁ボビン２０にガイド溝２４が設けられていることにより、平角線５０にダメージを与えないようにしながら第１の延出部２２の外方から挿入し、ティース絶縁部２１にスムーズに巻き始めることができ、且つ、平角線５０の占積率を高めることができる。
また、絶縁ボビン２０に第１の突出部３１が設けられていることにより、平角線５０の第１層第１周目から第２周目への切り替え部分を極めて安定に巻回することができるとともに、平角線５０の第２層の最終周回に巻乱れが発生するのを防止することができる。
【００４４】
さらに、絶縁ボビン２０に第２、第３の突出部３２，３３が設けられていることにより、平角線５０の第２層第１周目に巻乱れが発生するのを防止することができる。
そして、平角線５０の第２層第１周目における巻乱れと、平角線５０の第２層の最終周回の巻乱れを防止することができる結果、第２層以降の平角線５０の巻乱れも防止することができる。
【００４５】
また、第２の延出部２３に円弧部２７が設けられ、円弧部２７にアール面２７ａが形成されていることにより、第１層最終周回から第２層第１周目に至る平角線５０の巻回をスムーズに行うことができるとともに、平角線５０の損傷を防止することができる。
【００４６】
また、絶縁ボビン２０に第１、第２、第３の突出部３１，３２，３３を設けたことによって平角線５０の巻乱れを防止することができるので、巻線機には特別な細工が不要であり、ごく一般的な巻線機を用いて巻線作業を行うことができる。
【００４７】
〔他の実施例〕
なお、この発明は前述した実施例に限られるものではない。
例えば、ティース絶縁部２１と第１の延出部２２の連結部分の隅部２５に設ける第１の突出部３１は、第４コーナ部２１ｈに直接設けずに第４コーナ部２１ｈの近傍のティース絶縁部の側面２１ｄと側面２１ａに設けてもよいし、あるいは、第４コーナ部２１ｈを含んでティース絶縁部の側面２１ｄと側面２１ａのほぼ全長に亘って設けてもよい。
【００４８】
また、ティース絶縁部２１と第２の延出部２３の連結部分の隅部２６に設ける別の突出部（第２の突出部３２、第３の突出部３３）については、第２コーナ部２１ｆにさらに設けてもよいし、あるいは、コーナ部以外の部分に設けてもよいし、隅部２６のほぼ全周に亘って設けてもよい。
【産業上の利用可能性】
【００４９】
この発明は、電動機や発電機等の回転電機に用いられる平角巻線のステータに利用可能である。
【図面の簡単な説明】
【００５０】
【図１】この発明に係るステータの一実施例における全体断面図である。
【図２】前記実施例のステータに用いられる絶縁ボビンの正面図である。
【図３】前記絶縁ボビンの側面図である。
【図４】前記絶縁ボビンを第４コーナ部側から見た側面図である。
【図５】前記絶縁ボビンの第１の突出部近傍を拡大して示す断面図である。
【図６】前記絶縁ボビンに平角線が１層だけ巻回された状態を示す斜視図である。
【図７】前記絶縁ボビンを第２の延出部とティース絶縁部の連結部分で破断して示す平面である。
【図８】前記絶縁ボビンにおけるガイド溝の外側側面と第１の延出部の内面との交点の位置を説明するための図である。
【図９】比較例における図８に対応する説明図である。
【図１０】第１、第２の延出部とティース絶縁部の連結部分に突出部がない比較例の絶縁ボビンに第１層目の平角線が巻回された状態を示す正面図である。
【図１１】前記比較例の絶縁ボビンに第１層目の平角線が巻回された状態を示す側面図である。
【図１２】前記比較例の絶縁ボビンに第２層目の平角線が巻回された状態を示す正面図である。
【符号の説明】
【００５１】
１  ステータ
１ａ  ヨーク
１２  ティース部（ティース）
２０  絶縁ボビン
２１  ティース絶縁部
２２  第１の延出部
２３  第２の延出部
２４  ガイド溝
２５  隅部
２６  隅部
２７  円弧部
２７ａ  アール面
３１  第１の突出部
３２  第２の突出部（別の突出部）
３３  第３の突出部（別の突出部）
５０  平角線
【図１】
2005057931.tif 000003
【図２】
2005057931.tif 000004
【図３】
2005057931.tif 000005
【図４】
2005057931.tif 000006
【図５】
2005057931.tif 000007
【図６】
2005057931.tif 000008
【図７】
2005057931.tif 000009
【図８】
2005057931.tif 000010
【図９】
2005057931.tif 000011
【図１０】
2005057931.tif 000012
【図１１】
2005057931.tif 000013
【図１２】
2005057931.tif 000014